(57)【特許請求の範囲】
【請求項１】
通信チャネルを時間的に分割して得られるスロットを信号送受信の単位とすると共に予め指定されたスロットにて構成される機能チャネル上の各スロットに送信すべき信号を逐次に割付けるようにした移動通信システムにおいて、全てのスロットで送信可能な第一種の信号と特定のスロットだけで送信可能な第二種の信号とを同一の機能チャネルの各スロットに混在して割付けて基地局から送信するようにした信号送信制御方法であって、
第一種の信号に対して、機能チャネル上で第一の検索基準に基づいて当該第一種の信号の送信可能なスロットを送信済のスロットに続く現在のスロットを基点に検索し、その検索結果にて得られたスロットに当該第一種の信号の割付けを行ない、
第二種の信号に対して、機能チャネル上で上記第一の検索基準と異なる第二の検索基準に基づいて当該第二種の信号の送信可能なスロットを送信済のスロットに続く現在のスロットを基点に検索し、その検索結果にて得られたスロットに当該第二種の信号の割付けを行なうようにした信号送信制御方法。
【請求項２】
請求項１記載の信号送信制御方法において、
上記第一の検索基準は、機能チャネル上で当該第一種の信号の送信可能なスロットを検索する範囲となる第一の検索範囲を有し、
上記第二の検索基準は、機能チャネル上で当該第二種の信号の送信可能なスロットを検索する上記第一の検索範囲より広い範囲となる第二の検索範囲を有する信号送信制御方法。
【請求項３】
請求項２記載の信号送信制御方法において、
上記第一の検索範囲と第二の検索範囲との差が当該移動通信システムにて第一種の信号を送信するために用いられる最大スロット長以上である信号送信制御方法。
【請求項４】
請求項１乃至３いずれか記載の信号送信制御方法において、
送信可能なスロットに応じて異なる複数の上記第二種の信号のそれぞれに対して異なる第二の検索基準を設定した信号送信制御方法。
【請求項５】
通信チャネルを時間的に分割して得られるスロットを信号送受信の単位とすると共に予め指定されたスロットにて構成される機能チャネル上の各スロットに送信すべき信号を逐次に割付けるようにした移動通信システムにおいて、全てのスロットで送信可能な第一種の信号と特定のスロットだけで送信可能な第二種の信号とを同一の機能チャネルの各スロットに混在して割付けて送信する基地局において、
第一種の信号に対して、機能チャネル上で第一の検索基準に基づいて当該第一種の信号の送信可能なスロットを送信済のスロットに続く現在のスロットを基点に検索し、その検索結果にて得られたスロットに当該第一種の信号の割付けを行なう第一の信号割付け制御手段と、
第二種の信号に対して、機能チャネル上で上記第一の検索基準と異なる第二の検索基準に基づいて当該第二種の信号の送信可能なスロットを送信済のスロットに続く現在のスロットを基点に検索し、その検索結果にて得られたスロットに当該第二種の信号の割付けを行なうようにした第二の信号割付け手段とを有する基地局。
【請求項６】
請求項５記載の基地局において、
上記第一の信号割付け手段における第一の検索基準は、機能チャネル上で当該第一種の信号の送信可能なスロットを検索する範囲となる第一の検索範囲を有し、
上記第二の信号割付け手段における第二の検索基準は、機能チャネル上で当該第二種の信号の送信可能なスロットを検索する上記第一の検索範囲より広い範囲となる第二の検索範囲を有する基地局。
【請求項７】
請求項６記載の基地局において、
上記第一の検索範囲と第二の検索範囲との差が当該移動通信システムにて第一種の信号を送信するために用いられる最大スロット長以上となるように設定された基地局。
【請求項８】
請求項５乃至７いずれか記載の基地局おいて、
上記第二の信号割付け手段は、送信可能なスロットに応じて異なる複数の上記第二種の信号のそれぞれ対して異なる第二の検索基準を有する基地局。
【発明の詳細な説明】
【０００１】
【発明の属する技術分野】
本発明は、移動通信システムにおける基地局から移動局に対する信号送信制御方法に係り、詳しくは、通信チャネルを時間的に分割して得られるスロットを信号送受信の単位とすると共に予め指定されたスロットにて構成される機能チャネル上の各スロットに送信すべき信号を割付けるようにした移動通信システムにおいて、全てのスロットで送信可能な信号と特定のスロットだけで送信可能な信号とを同一の機能チャネルの各スロットに割付けて基地局から送信するようにした信号送信制御方法に関する。
【０００２】
また、本発明は、そのような信号送信制御方法に従って信号の送信を行う基地局に関する。
【０００３】
【従来の技術】
移動局と、基地局を介した制御局との間における移動通信システムとしてＰＤＣ（Personal Digital Cellular）移動パケット通信システムがある。このＰＤＣ移動パケット通信システムでは、移動局と基地局との間でパケットの物理チャネルＵＰＣＨ（User Packet Channel）が無線区間に設定され、パケット伝送が行なわれる。
【０００４】
この物理チャネルにおける同一番号のスロットの集まりが１つの機能チャネルとして利用される。例えば、３スロットのＴＤＭＡ（Time Division Multiple Access）方式のＰＤＣ移動パケット通信システムの場合、各スロット番号に対応した３つの機能チャネルが構成される。
【０００５】
このようなＰＤＣ移動パケット通信システムにおける基地局から各移動局に対する下り信号の伝送方法では、例えば、図６に示すように、全スロットを受信している移動局（連続受信▲１▼参照）に対する信号と、バッテリィセービングのために特定のスロットａ、ｂ、…だけを受信している移動局（間欠受信▲２▼参照）に対する信号とを同一機能チャネル上の各スロットに割付けて伝送するようにしている。このような信号伝送方法によれば、連続受信用の信号と間欠受信用の信号とを別々の機能チャネル上のスロットに割付けて伝送する方法に比べて、物理チャネルを有効活用し易い。
【０００６】
例えば、移動局が在圏する無線ゾーン内において連続受信モード用の信号だけが発生している状況下では、連続受信用の信号と間欠受信用の信号のそれぞれを別々の機能チャネル上のスロットに割付けて伝送すると、間欠受信用の信号のために設定した機能チャネルが無駄に使われることになる。しかし、連続受信用の信号と間欠受信用の信号とを同一機能チャネル上のスロットに割付けて伝送する方法では、そのような無駄がなく、物理チャネルの伝送容量を無駄なく使用することができる。
【０００７】
ところで、従来、上記のように連続受信用の信号と間欠受信用の信号とを同一機能チャネル上のスロットに割付けて基地局から伝送するに際し、連続受信用の信号及び間欠受信用の信号に係わらず、各信号が次のスロットで送出可能か否かを判定し、可能である信号から優先的にスロットの割付けを行なって送出している。
【発明が解決しようとする課題】
しかし、上記のようなスロットの割付けの方法では、間欠受信用の信号の遅延が発生し易くなってしまう。それは、連続受信用の信号は任意にスロットに割付けて送信することが可能であるのに対して、間欠受信用の信号を送信するために割付けることができるスロットが限られていることに起因している。即ち、連続受信用の信号が複数のスロットに割付けられた場合に、その信号が割付けられた複数のスロットに間欠受信用の信号を割付けることが可能なスロットが含まれる確率が高くなり、結果として間欠受信用の信号が送信され難くなる。
【０００８】
このような問題を解決するために、間欠受信用の信号を割付けることが可能なスロットに対して既に連続受信用の信号が割付けられている場合は、その連続受信用の信号の各スロットへの割付けを解除して、間欠受信用の信号を当該スロットに割付けて送信する方法が考えられる。しかし、このような方法では、既に送信を開始している連続受信用の信号の送信を途中で取りやめることになり、連続受信用の信号に対するスロットの連続性が保持できない。そのため、移動局にて信号受信が失敗であると判断されることから、既送信分のスロットに対応した信号が無駄になってしまう。
【０００９】
そこで、本発明の第一の課題は、同一機能チャネル上で全スロットで送信可能な信号と特定のスロットだけで送信可能な信号とを各スロットに割付けて基地局から移動局に送信する際に、特定のスロットだけで送信可能な信号の遅延をできるだけ防止すると共に無駄な信号送信を防止できるようにした信号送信制御方法を提供することである。
【００１０】
また、本発明の第二の課題は、そのような信号送信制御方法に従って信号の送信を行う基地局を提供することである。
【００１１】
【課題を解決するための手段】
上記課題を解決するため、本発明は、請求項１に記載されるように、通信チャネルを時間的に分割して得られるスロットを信号送受信の単位とすると共に予め指定されたスロットにて構成される機能チャネル上の各スロットに送信すべき信号を割付けるようにした移動通信システムにおいて、全てのスロットで送信可能な第一種の信号と特定のスロットだけで送信可能な第二種の信号とを同一の機能チャネルの各スロットに割付けて基地局から送信するようにした信号送信制御方法であって、第一種の信号に対して、機能チャネル上で第一の検索基準に基づいて当該第一種の信号の送信可能なスロットを検索し、その検索結果にて得られたスロットに当該第一種の信号の割付けを行ない、第二種の信号に対して、機能チャネル上で上記第一の検索基準と異なる第二の検索基準に基づいて当該第二種の信号の送信可能なスロットを検索し、その検索結果にて得られたスロットに当該第二種の信号の割付けを行なうように構成される。
【００１２】
このような信号送信制御方法では、全てのスロットで送信可能な第一種の信号の送信可能なスロットを機能チャネル上のスロットから検索するための第一の検索基準と、特定のスロットだけで送信可能な第二種の信号の送信可能なスロットを機能チャネル上のスロットから検索するための第二の検索基準とが異なるので、それら第一の検索基準及び第二の検索基準をそれぞれ個別に適宜設定することにより、第二種の信号のスロットへの割付けが排除され難くすることが可能となる。
【００１３】
上記第一の検索基準と第二の検索基準は、少なくとも、機能チャネル上で送信可能なスロットを検索する範囲に関する基準、既に信号が割当てられているスロットへの信号の再割当てはできないとする基準を含むことができる。
【００１４】
上記第二種の信号のスロットへの割当てをより優位に行なうための一手法を提供するという観点から、本発明は、請求項２に記載されるように、上記信号送信制御方法において、上記第一の検索基準は、機能チャネル上で当該第一種の信号の送信可能なスロットを検索する範囲となる第一の検索範囲を有し、上記第二の検索基準は、機能チャネル上で当該第二種の信号の送信可能なスロットを検索する上記第一の検索範囲より広い範囲となる第二の検索範囲を有するように構成することができる。
【００１５】
更に、確実に第二種の信号のスロットへの割付けが可能となるという観点から、本発明は、請求項３に記載されるように、上記信号送信制御方法において、上記第一の検索範囲と第二の検索範囲との差が当該移動通信システムにて第一種の信号を送信するために用いられる最大スロット長以上であるように構成することができる。
【００１６】
また、送信可能なスロットに応じて異なる複数の第二種の信号を上記第一種の信号と共に遅れなく送信できるようにするという観点から、本発明は、請求項４に記載されるように、上記各信号送信制御方法において、送信可能なスロットに応じて異なる複数の上記第二種の信号のそれぞれに対して異なる第二の検索基準を設定するように構成することができる。
【００１７】
上記第二の課題を解決するため、本発明は、請求項５に記載されるように、通信チャネルを時間的に分割して得られるスロットを信号送受信の単位とすると共に予め指定されたスロットにて構成される機能チャネル上の各スロットに送信すべき信号を割付けるようにした移動通信システムにおいて、全てのスロットで送信可能な第一種の信号と特定のスロットだけで送信可能な第二種の信号とを同一の機能チャネルの各スロットに割付けて送信する基地局において、第一種の信号に対して、機能チャネル上で第一の検索基準に基づいて当該第一種の信号の送信可能なスロットを検索し、その検索結果にて得られたスロットに当該第一種の信号の割付けを行なう第一の信号割付け制御手段と、第二種の信号に対して、機能チャネル上で上記第一の検索基準と異なる第二の検索基準に基づいて当該第二種の信号の送信可能なスロットを検索し、その検索結果にて得られたスロットに当該第二種の信号の割付けを行なうようにした第二の信号割付け手段とを有するように構成される。
【００１８】
【発明の実施の形態】
以下、本発明の実施の形態を図面に基づいて説明する。
【００１９】
本発明の実施の一形態に係る信号送信制御方法が適用される移動通信システムは、例えば、図１に示すように構成される。
【００２０】
図１において、この移動通信システムは、例えば、PDC移動パケット通信システムであり、移動局１０、基地局２０、制御局３０を有している。
【００２１】
上記移動局１０は、基地局２０、制御局３０を介してパケット通信サービスを受けるようになっている。パケット通信サービスでは、移動局１０と基地局２０との間で無線チャネル１００、この場合UPCHを設定してパケットの伝送を行う。なお、上記UPCHは、同一機能チャネル上で、移動局のユーザが選択した受信モード（連続受信モードあるいは間欠受信用モード）の信号を混在させて送信を行っている。
【００２２】
上記基地局２０は、送信処理部２１を有する。この送信処理部２１は、制御局３０経由で上記受信モード信号を受信すると、連続受信モード用の信号あるいは間欠受信モード用の信号いずれかの区別を各受信モード用の信号に含まれる識別情報から区別し、該区別された受信モードに応じて送信可能なスロットの検索範囲、例えば、連続受信モード用の信号に対してはスロット１個分、一方、間欠受信モード用信号に対してはスロット３個分を同一UPCH機能チャネル上に設定する。
【００２３】
このようにして、受信モード毎の信号の送信予約割付けをするためのスロット検索範囲が設定されると、上記基地局２０は現在のスロットから、受信モードに応じて設定された検索範囲内での空きスロットの検索を行い、空きを検出すれば上記受信モード信号に応じて必要なスロット数の予約割付けを行う。
【００２４】
このとき、上記必要なスロット数は、移動局１０がパケット転送したいパケット（以下、ユーザパケットという）量に応じて異なる。例えば、連続受信モードを選択している移動局１０がスロット２個分のユーザパケットを伝送したい場合、基地局２０では、同一UPCH機能チャネル上で、ユーザパケットを伝送するに必要なスロット２個分を１単位として検索行う。
【００２５】
このような同一UPCH機能チャネル上で行われる空きスロットの検索範囲設定は、例えば、図２のように構成される。
【００２６】
図２において、▲１▼は連続受信モード用の検索範囲Wa（例えば、１スロット）を表し、▲２▼は間欠受信モード用の検索範囲Wb（例えば、３スロット）をそれぞれ表す。
【００２７】
また、上述したような、基地局２０でなされる送信可能な空きスロットの検索及び予約割付け処理の具体的な手順は、例えば、図３に示す手順に従って行われる。
【００２８】
図３において、a〜gは、同一UPCH機能チャネル上における各イベント毎に処理されるスロットの状態を表す。なお、上記同一UPCH機能チャネル上で間欠受信モード信号が送信可能な特定スロットは、スロット＃１１である。一方、連続受信モード信号の送信可能なスロットは全スロットで送信を行うことができる。
【００２９】
まず、基地局２０では制御局３０から間欠受信用の信号A（１スロット分）を受信すると、現時刻のイベント４０１において、現在に位置するスロット＃６から検索範囲Wbスロット幅（３スロット）内で間欠受信用の信号Aを送信するための空きスロット検索を行う。上記イベント４０１では、Wb内（スロット＃６〜＃８）に間欠受信用信号の送信可能なスロットがないため、送信予約割付けはできない。
【００３０】
次のステップのイベント４０２では、上記イベント４０１で送信未予約であった間欠受信用の信号Aに対して、再度Wb内（スロット＃７〜＃９）で検索行うが、上記信号Aの送信可能なスロットがないので送信予約割付けはできない。また、このイベント４０２では、制御局３０から連続受信用の信号B（２スロット分）を受信している。上記連続受信用の信号Bは連続受信モードの信号であるので現在のスロット（スロット＃７）からWaスロット幅（スロット＃７）内において、送信可能なスロットを検索する。ここでは、Wa内に送信可能なスロットが存在するので、送信予約割付けを行う（スロット＃７〜＃８までの２スロット分）。この連続受信用の信号はユーザパケットの転送量に応じて複数のスロット、例えば、２〜３スロット、で構成される。
【００３１】
イベント４０３では、上記イベント４０２に引き続き、まず、送信未予約であった間欠受信用の信号Aに対して、再度Wb内（スロット＃８〜＃１０）で検索行うが、上記信号Aの送信可能なスロットがないので送信予約割付けをすることができない。また、基地局２０は、制御局３０から連続受信用の信号C（３スロット分）を受信している。上記連続受信用の信号Cは連続受信モードの信号であるので現在のスロット（スロット＃８）からWaスロット幅（スロット＃８）内において、送信可能なスロットを検索する。ここでは、Wa内の送信可能スロットが上記連続受信用の信号Bで予約割付け済みであるため送信予約割付けを行うことができない。
【００３２】
イベント４０４では、上記イベント４０３に引き続き、まず、送信未予約である間欠受信用の信号Aに対して、再度Wb内（スロット＃９〜＃１１）で検索する。ここでは、Wb内に送信可能なスロット（スロット＃１１）が存在するため送信予約割付けを行う。次に、送信未予約である上記連続受信用の信号Cに対してWa内で再度検索を行う。ここでは、Wa内に送信可能なスロットは存在するが、送信予約割付け済みの間欠受信用の信号Aと重複するため、送信予約割付けを行うことはできない。
【００３３】
イベント４０５では、まず、送信未予約である上記連続受信用の信号Cに対して、Wa内で再度検索を行う。ここでは、Wa内に送信可能なスロットは存在するが、送信予約割付け済みの間欠受信用の信号Aと重複するため、送信予約割付けを行うことはできない。
【００３４】
また、イベント４０６では、まず、送信未予約である上記連続受信用の信号Cに対して、Wa内で再度検索を行う。ここでは、Wa内の送信可能なスロットは間欠受信用の信号Aで予約割付け済みであるため、送信予約割付けを行うことはできない。
【００３５】
さらに、イベント４０７では、引き続き送信未予約である上記連続受信用の信号Cに対して、Wa内で再度検索を行う。ここでは、Wa内に送信可能なスロットが存在するので送信予約割付けを行う。
このような信号送信制御方法では、全てのスロットで送信可能な連続受信用のの信号の送信可能なスロットを機能チャネル上のスロットから検索するための第一の検索基準（Wa）と、特定のスロットだけで送信可能な間欠受信用の信号の送信可能なスロットを機能チャネル上のスロットから検索するための第二の検索基準（Wb）とをそれぞれ個別に適宜設定することにより、間欠受信用の信号のスロットへの割付けが排除され難くすることが可能となる。その結果、同一機能チャネル上で全スロットで送信可能な連続受信用の信号と特定のスロットだけで送信可能な間欠受信用の信号とを各スロットに割付けて基地局から移動局に送信する際に、特定のスロットだけで送信可能な信号の遅延をできるだけ防止できる。また、連続受信用の信号の送信を中断させることも避けられるようにできるため、無駄な信号送信を防止できるようになる。
【００３６】
また、図２に示す連続受信モード用の検索範囲Wa及び間欠受信用の検索範囲Wbの関係が連続受信用の信号の最大スロット長Lに対して次式（１）を満たすとき、間欠受信の信号は遅くとも該信号受信時から２度目のタイミングで送信することができ、間欠受信用の信号の遅延抑制効果がさらに増す。
Wb  ―  Wa  ≧  L                        （１）
式（１）において、例えば、L＝３、Wb＝４、Wa=１すると、基地局２０においてなされる空きスロットの検索及び予約割付け処理は、例えば、図４のような手順で行われる。
【００３７】
図４において、E５０１〜E５１３は基地局２０が各時刻で送信可能なスロットの検索及び予約割付けを行うイベント処理を表す。なお、間欠受信モード用の特定スロットは、この場合、スロット＃７とスロット＃１４である。
【００３８】
まず、基地局２０が制御局から連続受信用の信号D（３スロット分）を受信すると、E５０１の処理では、検索範囲Wa内にて送信可能なスロットの検索を行う。ここでは、Wa内に送信可能なスロットがあるので該信号Dの予約割付け（スロット＃３〜＃５）を行う。次のステップE５０２では、基地局２０が連続受信用の信号E（３スロット分）を受信している。しかし、送信可能なスロットが既に上記信号Dで予約割付け済みであるので該信号Eの予約割付けはできない。
【００３９】
E５０３では、まず、送信未予約である上記信号Eに対して、Wa内で再度検索を行うが、送信スロットが上記信号Dで予約割付け済みであるので予約割付けすることはできない。E５０４では、まず、送信未予約である上記信号Eに対して、Wa内で再度検索を行う。ここでは、Wa内に送信可能なスロットが存在するため、送信予約割付けを行う（スロット＃６〜８）。また、基地局２０は間欠受信用の信号Xを受信している。該信号Xは間欠受信の信号であるので、現在のスロットからWbスロット幅内（４スロット）において、送信可能なスロットを検索する。ここでは、Wb内に間欠受信用のスロット▲１▼（スロット＃７）が存在するが、該E５０４の最初の検索処理で上記信号Eが予約割付けされたので、該信号Xの予約割付けはできない。
【００４０】
E５０５では、まず、送信未予約である上記間欠受信用信号Xに対して、Wｂ内で再度検索を行う。ここでは、Wb内の送信可能な特定スロット（スロット＃７）は上記信号Eで予約割付け済みであるので予約割付けすることはできない。
【００４１】
E５０６では、上記E５０５に続いて、まず、送信未予約である上記間欠受信用信号Xに対して、Wｂ内で再度検索を行う。ここでは、Wb内に送信可能なスロットはないため送信予約割付けはできない。さらに、次のE５０７でも、まず、送信未予約である上記間欠受信用信号Xに対して、Wｂ内で再度検索を行うが、Wb内に送信可能なスロットはないため送信予約割付けはできない。また、ここでは、基地局２０が制御局３０より連続受信用の信号F（３スロット分）を受信している。該信号Fは連続受信用の信号であるため、Waスロット幅内において送信可能なスロットの検索を行う。ここでは、Wa内に送信可能なスロットが存在するので送信予約割付け（スロット＃９〜１１）を行う。
【００４２】
E５０８では、まず、送信未予約である上記間欠受信用信号Xに対して、Wｂ内で再度検索を行う。ここでは、Wb内に送信可能なスロットはないため送信予約割付けはできない。また、ここでは、基地局２０が制御局３０より連続受信用の信号G（３スロット分）を受信している。該信号Gは連続受信の信号であるため、Waスロット幅内において送信可能なスロットの検索を行う。ここでは、Wa内の送信可能スロットは上記信号Fで予約割付け済みであるので予約割付けはできない。
【００４３】
E５０９では、再び、送信未予約である上記間欠受信用信号Xに対して、Wｂ内で再度検索を行う。ここでは、Wb内に送信可能なスロット、間欠受信スロット▲２▼（スロット＃１４）、が存在するので送信予約割付けを行う。一方、送信未予約である上記信号Gは、上記信号Fで予約割付け済みであるので予約割付けできない。
【００４４】
E５１０〜E５１２では、送信未予約である上記信号Gに対して、Wa内で再度検索を行うが、予約割付け済みの上記信号Xと重なるため予約割付けはできない。
【００４５】
E５１３では、送信未予約である上記信号Gに対して、Wa内で再度検索を行い、送信可能スロットが存在するので送信予約割付け（スロット＃１５〜１７）を行う。
【００４６】
このように、上記式（１）の条件を満たすWa及びWbの検索範囲、即ち、WbとWaの差が当該移動通信システムにて連続送信用の信号を送信するために用いられる最大スロット長以上であれば、間欠受信用の信号Xは、E５０４における１度目の間欠受信スロット▲１▼のタイミング（スロット＃７）で送信することができなくても２度目の間欠受信スロット▲２▼のタイミング（スロット＃１４）で確実に送信できるので、特定スロットのみで送信可能な信号、即ち、間欠受信用の信号の送信遅延を最小限に抑えることができる。
【００４７】
上記例では、単純に連続受信用の信号と間欠受信用の信号に分類したが、送信可能なスロットに応じて異なる複数の間欠受信用の信号を上記連続受信用の信号と共に同一機能チャネルの各スロットに割付けることも可能である。例えば、図５に示すように、連続受信用の信号（▲１▼）、間欠受信用の信号（▲２▼）、スーパーフレーム毎に間欠受信するための信号（▲３▼）、及びハイパーフレーム（Ｎ×スーパーフレーム）毎に間欠受信するための信号（▲４▼）を同一機能チャネル上の各スロットに割付けて送信することができる。この場合、割付けスロットを検索するための検索範囲は各間欠受信用の信号（▲２▼、▲３▼、▲４▼）に応じて異なるようにする。
【００４８】
上記例において、基地局２０における送信処理部２１の各機能が第一の信号割付け制御手段及び第二の信号割付け制御手段に対応する。
【００４９】
【発明の効果】
以上、説明したように、請求項１乃至４記載の本願発明によれば、全てのスロットで送信可能な第一種の信号の送信可能なスロットを機能チャネル上のスロットから検索するための第一の検索基準と、特定のスロットだけで送信可能な第二種の信号の送信可能なスロットを機能チャネル上のスロットから検索するための第二の検索基準とをそれぞれ個別に適宜設定することにより、第二種の信号のスロットへの割付けが排除され難くすることが可能となる。その結果、同一機能チャネル上で全スロットで送信可能な信号と特定のスロットだけで送信可能な信号とを各スロットに割付けて基地局から移動局に送信する際に、特定のスロットだけで送信可能な信号の遅延をできるだけ防止できる。また、第一種の信号の送信を中断させることも避けられるようにできるため、無駄な信号送信を防止できるようになる。
【００５０】
また、請求項５乃至８記載の本願発明によれば、上述したように特定のスロットだけで送信可能な信号の遅延をできるだけ防止すると共に無駄な信号送信を防止できるようにした信号送信制御方法に従って信号の送信を行う基地局を提供することができる。
【図面の簡単な説明】
【図１】本発明の実施の一形態に係る基地局から移動局への信号送信制御方法が適用される移動通信システムの構成を示す図である。
【図２】図１に示す移動通信システムにおいて基地局が受信モード別に実施する送信可能なスロットの検索範囲を示す図である。
【図３】図１に示す移動通信システムにおいて基地局が受信モード別に実施する送信可能なスロット検索及び予約処理（その１）のタイムチャート図である。
【図４】図１に示す移動通信システムにおいて基地局が受信モード別に行う送信可能なスロット検索及び予約処理（その２）のタイムチャート図である。
【図５】基地局から移動局に対しての下り信号送信（UPCH）の送信形態を示す図である。
【図６】従来の基地局からの下り信号伝送における同一機能チャネル（UPCH）上で受信モードを混在させて伝送をするスロット構成の一例を示す図である。
【符号の説明】
１０  移動局
２０  基地局
２１  送信処理部
３０  制御局
１００  無線チャネル
【図１】
0003745609.tif 000002
【図２】
0003745609.tif 000003
【図３】
0003745609.tif 000004
【図４】
0003745609.tif 000005
【図５】
0003745609.tif 000006
【図６】
0003745609.tif 000007